(57)【要約】【課題】  縦長／横長の種類又は綴じ方が異なる複数の印刷物を含む混合印刷物に対して各印刷物を指定された方向に開くことができるようにステープル留めを行う。【解決手段】  混合印刷物に含まれる、例えば左綴じポートレートモード印刷物（Ｐ−Ｌ）と上綴じポートレートモード印刷物（Ｐ−Ｕ）のステープルデータは、用紙を上下左右の４つの領域ａ〜ｄに分割し、各領域にステープル留めが有るか否かを示す４ビット情報によりそれぞれ（１０１０），（１１００）で表されるようになっている。フィニッシャにより物理的にステープル可能な条件を示すステープル制限データ（１０１０）が予め設定されている。各印刷物のステープデータとステープル制限データの論理積を演算することによりステープル位置を制御するためのステープル位置制御データ（１０００）が生成され、混合印刷物はこのデータに基づいてａ領域（縦長用紙の左上）にのみステープルが留められる。【選択図】      図８
2005297213.tif 000002
【特許請求の範囲】
【請求項１】
頁単位で用紙に画像形成を行うことにより１頁又は２頁以上の画像形成物からなる印刷物を作成させるための第１の情報と前記印刷物のステープル留めが行われる領域に関する第２の情報とが入力される入力手段と、前記第１の情報に基づいて頁単位で用紙に画像を形成し、前記印刷物を作成する印刷物作成手段と、前記第２の情報に基づいて、前記印刷物作成手段によって作成された印刷物にステープル留めを行う後処理手段とを備えた画像形成装置であって、
前記入力手段から縦長／横長の印刷物の種類又はステープルによる綴じ方が異なる複数種類の印刷物を含む混合印刷物について印刷物毎に前記第１，第２の情報が入力されると、前記印刷物作成手段により各印刷物を当該印刷物に対応する第１の情報に基づいて順番に作成して前記混合印刷物を作成させる印刷物作成制御手段と、
前記後処理手段で前記印刷物に対して物理的にステープル留めが可能な領域に関する第３の情報を記憶する記憶手段と、
印刷物毎に設定された第２の情報と前記第３の情報に基づいて、各印刷物が前記第２の情報により指定された開き方向に開くことができるように前記混合印刷物に対してステープル留めが行われる領域の情報を生成する領域情報生成手段と、
前記領域情報生成手段によって生成されたステープル留めの領域情報に基づいて、前記印刷物作成制御手段によって作成された混合印刷物の所定の領域に前記後処理手段によりステープル留めを行わせる後処理制御手段と、を備えたことを特徴とする画像形成装置。
【請求項２】
前記混合印刷物に対してステープル留めが行われる領域の情報は、当該混合印刷物に含まれる複数の印刷物の各印刷物に対するステープル留めが行われる領域のうち、全ての印刷物に共通してステープル留めが行われる領域であることを特徴とする請求項１に記載の画像形成装置。
【請求項３】
前記第２の情報は、前記用紙を搬送方向と当該搬送方向に直交する方向でそれぞれ２分割してなる４つの領域に分割し、各分割領域にステープル留めを行うか否かを示す４ビット情報からなり、
前記第３の情報は、前記用紙の分割領域のうち、前記後処理手段でステープル留めが可能な分割領域を示す４ビット情報からなり、
前記領域情報生成手段は、前記混合印刷物に含まれる印刷物毎に設定された前記第２の４ビット情報と前記第３の４ビット情報の論理積を演算することにより、前記混合印刷物に対するステープル留めが行われる領域の情報を生成することを特徴とする請求項１に記載の画像形成装置。
【請求項４】
前記入力手段は、前記混合印刷物に関する前記第１，第２の情報を生成する画像処理装置が通信可能に外部接続される通信手段からなり、前記前記混合印刷物に関する前記第１，第２の情報は、前記画像処理装置から前記通信手段を介して入力されることを特徴とする請求項１〜３のいずれかに記載の画像形成装置。
【発明の詳細な説明】
【技術分野】
【０００１】
本発明は、ホストコンピュータなどの画像処理装置に通信可能に接続され、当該ホストコンピュータから送信される画像形成条件及び画像データに基づいて用紙に画像を形成することにより１頁又は２頁以上の画像形成済みの用紙（以下、画像形成物という。）からなる印刷物を作成するとともに、ホストコンピュータから送信される用紙へのステープル留めが行われる領域に関する情報に基づいて、その印刷物の所定の領域にステープル留めを行うことのできる画像形成装置に関するものである。
【背景技術】
【０００２】
従来、プリント装置において、縦長の画像形成物（長方形用紙の両短辺に画像の天地を一致させて形成された縦長画像形成物。以下、ポートレートモード印刷物という。）と横長の画像形成物（長方形用紙の両長辺に画像の天地を一致させて形成された横長画像形成物。以下、ランドスケープモード印刷物という。）を混在させてプリント処理を行うことのできるプリント装置が知られている。
【０００３】
また、画像形成物をステープルで留めることのできるプリント装置（以下、ステープル機能付きプリント装置という。）においては、ポートレートモード印刷物とランドスケープモード印刷物とを混合した印刷物の場合、例えばランドスケープモード印刷物に対して指定された綴じ位置（例えば横長用紙の左端部に設けられた綴じ代）に２個のステープル留めを行うと、ポートレートモード印刷物については天側若しくは地側がステープルで留められ、見難い見開きとなることから、このような不具合を解消するプリント装置も提案されている。
【０００４】
例えば特開２００２−７９７１７公報には、第１ページが縦ページ（ポートレートモードで画像が形成されたページ）であるか横ページ（ランドスケープモードで画像が形成されたページ）であるかと、画像形成物の綴じ位置とを参照し、指定された綴じ位置にステープルを留めたとき、各見開きを構成する隣り合う２ページがそれぞれ先頭側のページを末尾側のページに対して左側若しくは上側となるように配置した状態で見ることができる複数枚の両面印刷物からなる画像形成物となるようにプリント処理を行うプリント装置が記載されている。
【０００５】
【特許文献１】特開２００２−７９７１７公報
【発明の開示】
【発明が解決しようとする課題】
【０００６】
ところで、ステープル機能付きプリント装置において、ポートレートモード印刷物とランドスケープモード印刷物とが混在する印刷物に対し、各印刷物について左側の綴じ代に上下２箇所のステープル留めを指示する条件が設定されていると、図１３（ａ）に示すように、ポートレートモード印刷物に対しては、縦長用紙の左側の長辺に沿う綴じ代Ｔａに２個のステープルＳが留められるが、ランドスケープモード印刷物に対しては、図１３（ｂ）に示すように、横長用紙の左側の短辺に沿う綴じ代Ｔｂに２個のステープルＳが留められ、両モードの印刷物に対するステープルの留め位置が相違するため、ポートレートモード印刷物とランドスケープモード印刷物とが混在する印刷物Ｋに対しては、いずれか一方のステープルの留め方を採用しなければならない。
【０００７】
なお、図１３において、「Ｒ」は用紙に形成されている画像の向きを示すために便宜上、付したマークである。また、「天」は画像の上側を示し、「地」は画像の下側を示している。
【０００８】
そこで、コンピュータからポートレートモード印刷物の画像データとランドスケープモード印刷物の画像データとにそれぞれステープルによる綴じ方の条件（以下、ステープル条件という。）が付されてプリント装置に送信された場合、プリント装置側でいずれか一方のステープル条件を自動的に採用するように設定し、例えば図１３（ａ）のポートレートモード印刷物に対するステープルの留め方を採用するようにすると、同図（ｃ）に示すように、ランドスケープモード印刷物に対しては天側が２個のステープルで綴じられるため、印刷物Ｋのうち、ポートレートモード印刷物の部分は左横方向に開くことができるが、ランドスケープモード印刷物の部分は左横方向に開くことはできなくなるという不都合が生じる。
【０００９】
逆に図１３（ｂ）のランドスケープモード印刷物に対するステープルの留め方を採用しても、同図（ｄ）に示すように、ポートレートモード印刷物に対しては地側が２個のステープルで綴じられるため、印刷物Ｋのうち、ランドスケープモード印刷物の部分は左横方向に開くことができるが、ポートレートモード印刷物の部分は左横方向に開くことはできなくなるという不都合が生じる。
【００１０】
従って、このような不都合を回避するには、従来は、コンピュータからポートレートモード印刷物の画像データとランドスケープモード印刷物の画像データとにそれぞれステープル条件が付されてプリント装置に送信された場合、ポートレートモード印刷物とランドスケープモード印刷物を分離してそれぞれ指定されたステープル条件で綴じた印刷物を作成するか、ポートレートモード印刷物とランドスケープモード印刷物とが混在する印刷物に対してはステープル条件を無視してステープル留めを行わないようにするしかなかった。
【００１１】
しかし、プリント装置で前者の処理を採用した場合は、ポートレートモード印刷物とランドスケープモード印刷物が混在する印刷物を全体として１つとしたいユーザの意図に反して印刷物が２つ以上に分離されるため好ましくなく、後者の処理を採用した場合は、印刷物が多数の部数になる場合、両モードの印刷物が指定された方向に開くことができるように各部をユーザが手でステープルを１箇所留めする必要があり、プリント装置のステープル機能を有効活用することができないことになる。
【００１２】
すなわち、後者の処理を採用した場合は、印刷物Ｋが図１３（ｃ）となる場合は、各部のポートレートモード印刷物の左下隅となる位置にユーザが手でステープルを１箇所留めし、印刷物Ｋが図１３（ｄ）となる場合は、各部のランドスケープモード印刷物の左上隅となる位置にユーザが手でステープルを１箇所留めする必要があり、プリント装置のステープル機能を有効活用することができないことになる。
【００１３】
このような問題は、ポートレートモード印刷物とランドスケープモード印刷物が混在した印刷物だけでなく、ステープルによる綴じ方の異なる同一モードの印刷物が混在する印刷物（以下、縦長／横長の印刷物の種類又はステープルによる綴じ方が異なる複数種類の印刷物を含む印刷物を混合印刷物という。）にも生じる。
【００１４】
なお、上述した特開２００２−７９７１７公報に記載の技術は、混合印刷物に対して、例えばランドスケープモード印刷物のステープル条件でステープル留めをした場合にポートレートモード印刷物の見開き部分が見辛くなるという不都合を解消するため、このような不都合が生じる場合はポートレートモード印刷物の印刷方向を変更するというもので、この技術は、ステープルにより２箇所留めをする以上、混合印刷物においてポートレートモード印刷物とランドスケープモード印刷物のいずれかの部分が所望の方向に開けなくなるという上述の不都合を解消することはできない。
【課題を解決するための手段】
【００１５】
本発明は、上記課題に鑑みてなされたものであり、縦長／横長の印刷物の種類又はステープルによる綴じ方が異なる複数の印刷物を含む混合印刷物を作成する場合にも当該混合印刷物のうちポートレートモード印刷物とランドスケープモード印刷物のいずれかの部分が開けないという不都合を生じさせることのない適切なステープル留めが可能な画像形成装置を提供するものである。
【００１６】
本発明は、頁単位で用紙に画像形成を行うことにより１頁又は２頁以上の画像形成物からなる印刷物を作成させるための第１の情報と前記印刷物のステープル留めが行われる領域に関する第２の情報とが入力される入力手段と、前記第１の情報に基づいて頁単位で用紙に画像を形成し、前記印刷物を作成する印刷物作成手段と、前記第２の情報に基づいて、前記印刷物作成手段によって作成された印刷物にステープル留めを行う後処理手段とを備えた画像形成装置であって、前記入力手段から縦長／横長の印刷物の種類又はステープルによる綴じ方が異なる複数種類の印刷物を含む混合印刷物について印刷物毎に前記第１，第２の情報が入力されると、前記印刷物作成手段により各印刷物を当該印刷物に対応する第１の情報に基づいて順番に作成して前記混合印刷物を作成させる印刷物作成制御手段と、前記後処理手段で前記印刷物に対して物理的にステープル留めが可能な領域に関する第３の情報を記憶する記憶手段と、印刷物毎に設定された第２の情報と前記第３の情報に基づいて、各印刷物が前記第２の情報により指定された開き方向に開くことができるように前記混合印刷物に対してステープル留めが行われる領域の情報を生成する領域情報生成手段と、前記領域情報生成手段によって生成されたステープル留めの領域情報に基づいて、前記印刷物作成制御手段によって作成された混合印刷物の所定の領域に前記後処理手段によりステープル留めを行わせる後処理制御手段と、を備えたものである（請求項１）。
【００１７】
なお、前記混合印刷物に対してステープル留めが行われる領域の情報は、当該混合印刷物に含まれる複数の印刷物の各印刷物に対するステープル留めが行われる領域のうち、全ての印刷物に共通してステープル留めが行われる領域である（請求項２）。
【００１８】
より具体的には、前記第２の情報は、前記用紙を搬送方向と当該搬送方向に直交する方向でそれぞれ２分割してなる４つの領域に分割し、各分割領域にステープル留めを行うか否かを示す４ビット情報からなり、前記第３の情報は、前記用紙の分割領域のうち、前記後処理手段でステープル留めが可能な分割領域を示す４ビット情報からなり、前記領域情報生成手段は、前記混合印刷物に含まれる印刷物毎に設定された前記第２の４ビット情報と前記第３の４ビット情報の論理積を演算することにより、前記混合印刷物に対するステープル留めが行われる領域の情報を生成する（請求項３）。
【００１９】
なお、前記入力手段は、前記混合印刷物に関する前記第１，第２の情報を生成する画像処理装置が通信可能に外部接続される通信手段からなり、前記前記混合印刷物に関する前記第１，第２の情報は、前記画像処理装置から前記通信手段を介して入力されるとよい（請求項４）。
【００２０】
本発明によれば、混合印刷物について印刷物毎に印刷物を作成するための第１の情報とステープル留めが行われる領域に関する第２の情報が入力されると、各印刷物が当該印刷物に対応する第１の情報に基づいて順番に作成されて混合印刷物が作成される。また、各印刷物の第２の情報と記憶手段に記憶された第３の情報とに基づいて、各印刷物が第２の情報により指定された開き方向に開くことができるように混合印刷物に対してステープル留めが行われる領域の情報（以下、ステープル制御情報という。）が生成される。そして、このステープル制御情報に基づいて、混合印刷物の所定の領域にステープル留めが行われる。
【００２１】
具体的には、第２の情報は、用紙を搬送方向と当該搬送方向に直交する方向でそれぞれ２分割してなる４つの領域に分割し、各分割領域にステープル留めを行うか否かを示す４ビット情報からなり、第３の情報は、用紙の分割領域のうち、後処理手段でステープル留めが可能な分割領域を示す４ビット情報からなるビット情報であるとすると、各印刷物に対して設定された複数の４ビット情報からなる第２の情報と４ビット情報からなる第３の情報の論理積を演算することにより４ビット情報からなるステープル制御情報が生成される。
【００２２】
ステープル制御情報は、第２の情報と第３の情報の論理積であるから、各印刷物に対して設定されたステープル留めが行われる領域と後処理手段で物理的にステープル留めが可能な領域のうち、重複する領域のみにステープル留めを行わせる４ビット情報となる。従って、ステープル制御情報に基づいて混合印刷物のステープル留めが行われると、混合印刷物の各印刷物は第２の情報により指定された開き方向に開くことができるようになる。
【発明の効果】
【００２３】
本発明によれば、ポートレートモード／ランドスケープモードの印刷物の種類又はステープルによる綴じ方が異なる複数の印刷物を含む混合印刷物を作成する場合にも当該混合印刷物のうちポートレートモード印刷物とランドスケープモード印刷物のいずれの部分も指定された方向に開くことができるようにステープル留めをすることができる。
【発明を実施するための最良の形態】
【００２４】
図１は、本発明に係る画像形成装置の一実施形態の概観図である。
【００２５】
本実施形態に係る画像形成装置１は、ページプリンタ装置１Ａとフィニッシャ装置１Ｂとで構成されたステープル機能付きプリント装置である。ページプリンタ装置１Ａは、カットシートタイプの用紙にページ単位で乾式電子写真方式により画像を形成する装置である。また、フニッシャ装置１Ｂは、複数枚の画像が形成された用紙からなる画像形成物に対して所定の後処理（本実施形態ではステープルによる紙綴じの処理）を行う装置である。
【００２６】
ページプリンタ装置１Ａは、縦長の箱形状を成し、装置下部に画像を形成するための用紙を収納する給紙部１１が設けられ、装置上部に給紙部１１から供給される用紙（カットシート）に乾式電子写真方式により画像を形成する画像形成部１２が設けられている。
【００２７】
給紙部１１は４段の抽斗型の給紙トレイ１１ａ〜１１ｄを有し、それぞれ例えばＡ５，Ａ４，Ａ３，Ｂ５，Ｂ４等の複数種類のサイズの用紙（カットシート）が収容可能になっている。また、各給紙トレイ１１ａ〜１１ｄは用紙を縦方向（縦長用紙の長辺が給紙トレイの引き出し方向（図１では装置本体の前後方向）と平行になる方向）と横方向（縦長用紙の短辺が給紙トレイの引き出し方向と平行になる方向）のいずれにも収納可能になっている。
【００２８】
また、ページプリンタ装置１Ａの右側面の上部には用紙を手差しするための手差しトレイ１１ｅが設けられている。この手差しトレイ１１ｅもＡ５〜Ａ３，Ｂ５，Ｂ４等の複数種類のサイズの用紙（カットシート）が載置可能になっている。なお、Ａ４サイズまでの用紙は縦方向、横方向の両方向に載置可能であるが、Ａ４サイズを超える用紙は、横方向に載置可能になっている。
【００２９】
給紙トレイ１１ａ〜１１ｄ及び手差しトレイ１１ｅに縦方向に収納若しくは載置された用紙（以下、縦置き用紙という。）は、用紙の短辺と平行な方向を「幅方向」、長辺と平行な方向を「長手方向」とすると、画像形成部１２に対して幅方向に給送され、当該画像形成部１２を用紙の幅方向に搬送されながら画像が形成される。また、給紙トレイ１１ａ〜１１ｄ及び手差しトレイ１１ｅに横方向に収納若しくは載置された用紙（以下、横置き用紙という。）は、画像形成部１２に対して長手方向に給送され、当該画像形成部１２を用紙の長手方向に搬送されながら画像が形成される。
【００３０】
画像形成部１２は、その内部に、主たる構成として給紙装置、感光体ドラム、露光装置、現像装置、転写装置、クリーニング装置、定着装置、用紙搬送装置及び排紙装置を含み、上面に画像が形成された用紙を排出する排紙トレイ１２Ａが形成されている。露光装置、現像装置、転写装置及びクリーニング装置は、この順番に感光体ドラムのドラム面の回りに当該ドラムの回転方向に沿って配置されている。
【００３１】
フィニッシャ装置１Ｂはページプリンタ装置１Ａに対してオプションとなっており、排紙トレイ１２Ａは、フィニッシャ装置１Ｂがページプリンタ装置１Ａに接続されていないときに画像形成された用紙の排出部として機能する。本実施形態では、フィニッシャ装置１Ｂがページプリンタ装置１Ａに接続されているので、画像形成された用紙はフィニッシャ装置１Ｂの排紙トレイ１３又は排紙トレイ１２Ａに排出される。なお、ページプリンタ装置１Ａの左側面の適所には画像形成済みの用紙をフィニッシャ装置１Ｂ側に排出するための用紙排出口（図略）が設けられている。
【００３２】
また、画像形成部１２の上面右端部の前側に操作パネル１２Ｂが設けられている。操作パネル１２Ｂは、ユーザが画像形成装置１に給紙トレイ、排紙トレイ、プリント濃度、ステープル条件などのプリントに必要な各種の条件を入力するための操作部材と、この操作部材の操作内容やページプリンタ装置１Ａのステータスの情報を表示する表示装置として機能するものである。操作パネル１２Ｂには、電源スイッチ、テンキー、濃度条件やステープル条件などの情報を入力するためのスイッチ類が設けられているとともに、液晶ディスプレイなどの表示装置が設けられ、例えばタッチパネルで構成されている。
【００３３】
また、画像形成部１２の背面には、コンピュータが接続される接続インターフェース（図１では見えていない）が設けられている。この接続インターフェースは、例えばイーサネット（登録商標）（Ｅｔｈｅｒｎｅｔ（登録商標））で規格化されている１００ＢＡＳＥ−ＴＸや１０ＢＡＳＥ−Ｔの接続インターフェースである。
【００３４】
コンピュータからは接続インターフェースを介して画像データとこの画像データの用紙へのプリント条件や画像形成物のステープル条件等のデータが画像形成装置１に送信され、画像形成部１２では、これらのデータに基づいて用紙への画像形成動作が行われる。
【００３５】
すなわち、画像形成部１２は、感光体ドラムを回転させ、ドラム面の所定の潜像形成位置が所定の露光位置に至ると、露光装置から画像データに基づいて変調したレーザ光を当該感光体ドラムに照射させて１ページ分の潜像を形成するとともに、感光体ドラムの回転によりその潜像が所定の現像位置に至ると、現像装置によりその潜像にトナーを付着させて顕像化する。更に、画像形成部１２は、給紙部１１若しくは手差しトレイ１１ｅから供給された用紙を所定のタイミングで用紙搬送装置により感光体ドラムに搬送し、感光体ドラムの回転により顕像化されたトナー像が所定の転写位置に至ると、転写装置によりその用紙にトナー像を転写して画像を形成した後、その用紙を用紙搬送装置で定着装置側に搬送し、当該定着装置で用紙に形成された画像の定着を行い、フィニッシャ装置１Ｂに搬送する。
【００３６】
用紙にトナー像が転写された感光体ドラムはクリーニング装置によりドラム面に残留するトナーの清掃が行われ、感光体ドラムの回転により潜像形成位置が再び所定の露光位置に至ると、露光装置により次のページの画像データに基づいて次のページの潜像が形成され、現像装置〜定着装置により上述した一連の画像形成動作が行われる。以下、同様の画像形成動作が全てのページの画像データについて行われる。
【００３７】
画像形成部１２では、図２，図３に示すように、幅方向若しくは長手方向に搬送される用紙に対して形成すべき画像の天地方向をプリント条件に基づいて４つの方向に回転させて画像形成処理をすることできるようになっている。すなわち、画像形成部１２は、プリント条件に基づいて用紙に対し、（ａ）用紙の上下と画像の天地とが同一となる向き、（ｂ）用紙の上下と画像の天地とが逆になる向き、（ｃ）用紙の左右と画像の天地とが同一となる向き、（ｄ）用紙の左右と画像の天地とが逆になる向き、のいずれかの向きに画像を形成する。なお、図２，図３において、「Ｒ」は用紙に対する画像の向きを示すための符号である。このように、用紙に対して４方向に画像形成可能にしているのは、図４（ａ）（ｂ）に示すように、ポートレートモード印刷物及びランドスケープモード印刷物の上下左右の４つの綴じ代Ｔ１〜Ｔ４のいずれにもフィニッシャ装置１Ｂにより選択的にステープル留めを可能にするためである。
【００３８】
後述するように、フィニッシャ装置１Ｂは、ページプリンタ装置１Ａから搬送された用紙に対して、例えば先端側の綴じ代にステープルを２箇所若しくは１箇所留める機能を備えている。従って、図２に示したように縦置き用紙が幅方向に搬送されて画像が形成される場合は、用紙の左側の綴じ代にステープル留めが行われ、図３に示したように横置き用紙が長手方向に搬送されて画像が形成される場合は、用紙の上側の綴じ代にステープル留めが行われる。
【００３９】
縦置き用紙に画像を形成する場合は、用紙の左側を先端として当該縦置き用紙が幅方向に搬送されて図２の（ａ）〜（ｄ）に示す方向で画像が形成された後、その画像形成物がフィニッシャ装置１Ｂに搬送されるので、同図（ａ）〜（ｄ）の画像形成物と綴じ位置（ステープル条件）との関係は、
図２（ａ）：左綴じのポートレートモード印刷物（以下、Ｐ−Ｌ印刷物という。）
図２（ｂ）：右綴じのポートレートモード印刷物（以下、Ｐ−Ｒ印刷物という。）
図２（ｃ）：上綴じのランドスケープモード印刷物（以下、Ｌ−Ｕ印刷物という。）
図２（ｄ）：下綴じのランドスケープモード印刷物（以下、Ｌ−Ｄ印刷物という。）
となる。
【００４０】
また、横置き用紙に画像を形成する場合は、用紙の上側を先端として当該横置き用紙が長手方向に搬送されて図３の（ａ）〜（ｄ）に示す方向で画像が形成された後、その画像形成物がフィニッシャ装置１Ｂに搬送されるので、同図（ａ）〜（ｄ）の画像形成物と綴じ位置（ステープル条件）との関係は、
図３（ａ）：左綴じのランドスケープモード印刷物（以下、Ｌ−Ｌ印刷物という。）
図３（ｂ）：右綴じのランドスケープモード印刷物（以下、Ｌ−Ｒ印刷物という。）
図３（ｃ）：上綴じのポートレートモード印刷物（以下、Ｐ−Ｕ印刷物という。）
図３（ｄ）：下綴じのポートレートモード印刷物（以下、Ｐ−Ｄ印刷物という。）
となる。
【００４１】
従って、ポートレートモード印刷物に対して、左綴じ若しくは右綴じをする場合は、縦置き用紙を幅方向に搬送して画像が形成され、上綴じ若しくは下綴じをする場合は、横置き用紙を長手方向に搬送して画像が形成される。一方、ランドスケープモード印刷物に対して、左綴じ若しくは右綴じをする場合は、横置き用紙を長手方向に搬送して画像が形成され、上綴じ若しくは下綴じをする場合は、縦置き用紙を幅方向に搬送して画像が形成される。
【００４２】
図１に戻り、フィニッシャ装置１Ｂは、縦長の箱形状を成し、右側面の画像形成部１２の用紙排出口に対向する位置に画像形成物を搬入するための搬入口が設けられ、左側面の上部に画像形成物の排紙トレイ１３が設けられている。
【００４３】
装置内部には、ページプリンタ装置１Ａから搬送される画像形成物を一時収納する用紙トレイと、この用紙トレイに収納された複数枚の画像形成物（印刷物）にステープル留めを行うステープル装置と、ステープル留めが終了した印刷物を排紙トレイ１３に排出する用紙排出装置とが設けられている。用紙トレイは画像形成物の搬送方向に傾斜し、かつ、その傾斜方向に移動可能に設けられ、当該用紙トレイの移動先にステープル装置が設けられている。
【００４４】
ページプリンタ装置１Ａから印刷物を構成する全ページの画像形成済みの用紙が用紙トレイに搬送されると、当該用紙トレイがステープル装置側に移動し、用紙トレイの先端側に位置する用紙の綴じ代（本実施形態では縦置き用紙及び横置き用紙の左側にある綴じ代）の所定の位置にステープル装置でステープルが２個若しくは１個留められる。
【００４５】
図５は、画像形成装置の画像形成処理（ステープル機能を含む）に関する機能を示すブロック図である。
【００４６】
画像形成装置１は、画像形成処理に関する機能ブロックとして、通信部１０１、解析部１０２、記憶部１０３、操作部１０４、表示部１０５、制御部１０６、描画部１０７、給紙部１０８、プリント部１０９、後処理部１１０及び排紙部１１１で構成される。
【００４７】
操作部１０４及び表示部１０５は、上述したページプリンタ装置１Ａの操作パネル１２Ｂの部分に相当するものである。操作部１０４は電源スイッチ、テンキー、その他のスイッチ類に相当し、表示部１０５は液晶パネルなどの表示装置に相当している。なお、操作部１０４の操作内容を制御部１０６に入力する制御部材や、操作部１０４の操作内容や制御部１０６から出力されるページプリンタ装置１Ａのステータス情報を表示部１０５に表示させるための制御部材もそれぞれ操作部１０４と表示部１０５とに含まれている。
【００４８】
給紙部１０８及びプリント部１０９は、それぞれ上述したページプリンタ装置１Ａの給紙部１１（手差しトレイ１１ｅ含む）と画像形成部１２のハードウェアで構成されるエンジン部分に相当するものである。すなわち、給紙部１０８は、給紙トレイ１１ａ〜１１ｄ及び手差しトレイ１１ｅとこれらのトレイに収納された用紙を画像形成部１２に給送する給紙機構により構成される部分である。また、プリント部１０９は、感光体ドラム、露光装置、現像装置、転写装置、定着装置及び用紙搬送装置などのユニット部品からなる画像形成機構により構成される部分である。
【００４９】
後処理部１１０及び排紙部１１１は、それぞれ上述したフィニッシャ装置１Ｂのステープル機能とステープル留めが終了した印刷物の排出機能を果すハードウェアで構成される部分に相当するものである。すなわち、後処理部１１０は用紙トレイ及びステープル装置で構成される部分であり、排紙部１１１は排紙装置及び排紙トレイ１３で構成される部分である。
【００５０】
解析部１０２、制御部１０６及び描画部１０７の処理は主としてＣＰＵ（Central Processing Unit）により所定の処理プログラムを実行させることにより行われるものである。通信部１０１は、ページプリンタ装置１Ａの背面に設けられた接続インターフェース１４により外部接続されるコンピュータＰＣとの間でデータ通信を行うものである。通信部１０１は、ＣＰＵの下位に属する通信処理ユニットにより構成されている。通信処理ユニットはＭＰＵ（Micro Processing Unit）を有し、所定の通信処理プログラムを実行することによりコンピュータＰＣとのデータ通信処理を実行する。
【００５１】
記憶部１０３は、ＲＯＭ（Read Only Memory）、ＲＡＭ（Random Access Memory）、ＨＤ（Hard Disc）などからなる内部記憶装置からなり、主としてＣＰＵに実行させる処理プログラムを記憶する機能とＣＰＵが処理プログラムを実行する際に必要なプログラムやデータを一時的に保存する機能を果す。処理プログラムやこの処理プログラムを実行するために必要なデータは予めＲＯＭに記憶され、ＣＰＵが処理を実行するためにＲＯＭから読み出された処理プログラムやテータ、処理の実行によって発生した種々のデータはＲＡＭ、ＨＤに一時保存される。
【００５２】
解析部１０２は、通信部１０１によって受信されたコンピュータＰＣからのプリント指令のデータの解析処理を行う。本実施形態に係る画像形成装置１に対しては、コンピュータＰＣからページ単位で用紙にプリントすべき画像のデータ（以下、画像データという。）とともに、少なくとも用紙サイズ、用紙の給紙方向、用紙に対する画像データのプリント方向などのプリント条件のデータ（本発明の第１の情報に相当。以下、プリントデータという。）とステープルによる画像形成物の綴じ方（ステープルが留められる位置）のデータ（本発明の第２の情報に相当。以下、ステープルデータという。）が送信される。
【００５３】
ここに、用紙サイズのデータとは、画像データをプリントすべきＡ４，Ｂ４などの用紙サイズを指定するデータであり、用紙の給紙方向のデータとは、幅方向給紙（図２参照）又は長手方向給紙（図３参照）の給紙方向を指定するデータである。また、用紙に対する画像データのプリント方向のデータとは、図２及び図３に示したように、幅方向給紙又は長手方向給紙に対して用紙に対する画像の天地方向を（ａ）〜（ｄ）のいずれの方向にするかを指定するデータである。なお、図２及び図３において、（ａ）〜（ｄ）は用紙に対して画像の天地方向を、それぞれ０°、１８０°、９０°、２７０°だけ反時計回りに回転させてプリントするものであるから、具体的にはプリント方向のデータは画像の回転角のデータとなっている。
【００５４】
ステープルデータは、画像形成後の用紙に対するステープル条件のデータ、より具体的にはステープルの位置を示すデータである。本実施形態では、図６（ａ）（ｂ）に示すように、縦置き用紙及び横置き用紙を左上、右上、左下、右下の４つの領域ａ，ｂ，ｃ，ｄに分割し、ステープル留めの位置Ｓ１〜Ｓ４のいずれかを有する領域を「１」、ステープル留めの位置Ｓ１〜Ｓ４のいずれも有しない領域を「０」で表した４ビットデータによりステープルデータが構成されている。なお、ステープルが留められる領域を「０」、ステープルが留められない領域を「１」で表した４ビットデータによりステープルデータを構成するようにしてもよい。
【００５５】
上述したように、縦置き用紙では、画像を回転させることにより用紙の上下に対して画像の天地方向が反転した２種類のポートレートモード印刷物（Ｐ−Ｌ印刷物とＰ−Ｒ印刷物）と用紙の左右に対して画像の天地方向が反転した２種類のランドスケープモード印刷物（Ｌ−Ｕ印刷物とＬ−Ｄ印刷物）が形成可能になっている（図２参照）。また、横置き用紙でも、画像を回転させることにより用紙の上下に対して画像の天地方向が反転した２種類のポートレートモード印刷物（Ｐ−Ｕ印刷物とＰ−Ｄ印刷物）と用紙の左右に対して画像の天地方向が反転した２種類のランドスケープモード印刷物（Ｌ−Ｌ印刷物とＬ−Ｒ印刷物）が形成可能になっている（図３参照）。
【００５６】
そして、これらの印刷物は、いずれもａ領域又はｃ領域にステープルが留められるから、ステープル２個留めの場合は、ステープルデータ（ａｂｃｄ）は（１０１０）となり、ステープル１個留めの場合は、ステープルデータ（ａｂｃｄ）は（１０００）又は（００１０）となっている。
【００５７】
また、本実施形態では、例えば印刷物がステープル２個による左綴じのポートレートモード印刷物とステープル２個による上綴じのポートレートモード印刷物との混合印刷物のように綴じ方又は縦長／横長のモードの異なる２種類の印刷物の混合印刷物を印刷可能にするとともに、その混合印刷物に含まれる２種類の印刷物にそれぞれ指定されている綴じ方で各印刷物が開くことができるように混合印刷物に対してステープルを留めることができるようになっている。
【００５８】
このため、上述した図２，図３に示す合計８種類の画像形成方法に対するステープデータを含む１６種類のステープルデータが下記表１に示すように設定されている。
【００５９】
【表１】
2005297213.tif 000003
【００６０】
なお、Ｎｏ．１〜４の各綴じ方のステープルデータと印刷物におけるステープル位置との関係は図７に示す通りである。図７において、「Ｒ」は用紙に対する画像の向きを示すための符号である。また、ａ，ｂ，ｃ，ｄは、縦置き用紙及び横置き用紙に設定した４つの領域であり、Ｓはステープルの位置である。そして、Ｎｏ．１の左綴じ及び右綴じとＮｏ．２の上綴じ及び下綴じは、それぞれ図２の（ａ）〜（ｄ）に対応し、Ｎｏ．４の左綴じ及び右綴じとＮｏ．３の上綴じ及び下綴じは、それぞれ図３の（ａ）〜（ｄ）に対応するから、これらの場合は印刷物に対してステープル留めが可能であるが、Ｎｏ．１の上綴じ及び下綴じ、Ｎｏ．２の左綴じ及び右綴じ、Ｎｏ．３の左綴じ及び右綴じ、Ｎｏ．４の上綴じ及び下綴じの場合は実際には印刷物に対してステープル留めはできないから（領域ｂ又はｄにステープル留め位置Ｓが有しないから）、これらのステープルデータは仮想的なデータとなっている。
【００６１】
図２に戻り、解析部１０２は、コンピュータＰＣから送信されるプリント指令のデータから画像データ、用紙サイズ、用紙の給紙方向、用紙に対する画像データのプリント方向などのプリントデータ及びステープル位置を示すステープルデータを抽出し、その抽出結果を制御部１０６に送出する。
【００６２】
制御部１０６は、コンピュータＰＣから送信されるプリント指令の処理を実行する。描画部１０７は、制御部１０６の指令に基づき各用紙に画像形成すべき画像のビットマップデータを生成する。描画部１０６は、ＶＲＡＭ（Video RAM）を有し、感光体ドラムに潜像を形成するためのページ単位の画像データ（ビットマップデータ）をプリントデータの内容に基づいて当該ＶＲＡＭに展開する。制御部１０６は、コンピュータＰＣから送信されるプリント指令のデータと操作部１０４から入力されるユーザにより設定されたプリント条件（ステープル条件を含む）のデータとに基づいてプリント処理を実行する。
【００６３】
より具体的には、制御部１０６は、描画部１０７によりページ単位で各用紙に画像形成すべき画像データ（ビットマップデータ）を生成させる。すなわち、制御部１０６は、各ページの画像形成処理において、画像データとともに、用紙サイズ、用紙の給紙方向及び用紙に対する画像データのプリント方向などのプリントデータを描画部１０７に送出する。描画部１０７は、そのプリントデータに基づいて、用紙サイズや印刷物がＰ−Ｌ、Ｐ−Ｒ、Ｐ−Ｕ、Ｐ−Ｄ、Ｌ−Ｌ、Ｌ−Ｒ、Ｌ−Ｕ、Ｌ−Ｄのいずれの種類の印刷物であるかを判別し、その判別結果に基づいて、指示された印刷物が給紙部１０８及びプリント部１０９で生成できるように画像データをＶＲＡＭに展開する。そして、制御部１０６は、給紙部１０８及びプリント部１０９の駆動タイミングを制御し、給紙部１０８から給送される各用紙に描画部１０７で生成した画像データ（ビットマップデータ）に基づいて画像を形成する。
【００６４】
また、制御部１０６は、コンピュータＰＣから送信されたステープルデータと記憶部１０３に予め記憶されたステープル留めに関するデータとから印刷物に実際にステープル留めを行わせるためのステープルデータを生成する。
【００６５】
上述したように、フィニッシャ装置１Ｂは搬送された用紙の先端側の綴じ代の所定の位置にステープルを１個若しくは２個留めるようになっている一方、用紙は用紙搬送方向に対してａ領域及びｃ領域が前側となるように搬送されるから、用紙のｂ領域及びｄ領域にはステープルは物理的に留められることはない。すなわち、縦置き用紙では、図６（ａ）に示されるように、ａ領域のＳ１又はｃ領域のＳ２の位置にのみステープルが留められ、横置き用紙では、図６（ｂ）に示されるように、ａ領域のＳ３又はｃ領域のＳ４の位置にのみステープルが留められる。このため、記憶部１０３には、物理的にステープル留めが可能な領域の情報がステープル制限データ（本発明の第３の情報に相当）として、上述した（ａｂｃｄ）の４ビット情報からなるステープルデータと同様の形式で予め記憶されている。すなわち、記憶部１０３には、ステープル制限データとして（１０１０）が記憶されている。
【００６６】
従って、制御部１０６は、コンピュータＰＣから送信されたステープルデータと記憶部１０３に予め記憶されたステープル制限データとの論理積（ＡＮＤ）を演算することより印刷物に実際にステープル留めを行わせるためのステープルデータ（以下、ステープル位置制御データという。）を生成する。
【００６７】
例えば印刷物が混合印刷物でない場合、表１に示す各印刷物に対するステープル位置制御データは、下記表２のようになり、Ｎｏ．１，Ｎｏ．４の左綴じ及び右綴じとＮｏ．２，Ｎｏ．３の上綴じ及び下綴じは、ステープルデータのとおりａ領域とｃ領域にステープルが２個留められるが、Ｎｏ．１，Ｎｏ．４の上綴じ及び下綴じとＮｏ．２，Ｎｏ．３の左綴じ及び右綴じは、ａ領域若しくはｃ領域に１個だけステープル留めが行われる。
【００６８】
【表２】
2005297213.tif 000004
【００６９】
また、印刷物が混合印刷物の場合、表１に示す１６種類の印刷物の中から２種類を組み合わせる数は、１２０通りあるが、例えば１部目をＮｏ．１の左綴じ（縦置き用紙によるポートレートモード印刷物の左綴じ）として２部目を縦置き用紙の他の印刷物と組み合わせた場合の混合印刷物のステープル位置制御データは、下記表３のようになる。
【００７０】
【表３】
2005297213.tif 000005
【００７１】
表３において、例えばＮｏ．２の混合印刷物に対するステープル留めは、図８に示すようになり、ａ領域（縦長用紙の左上領域）にステープルが１個留められる。このステープル処理によりＮｏ．２の混合印刷物に対しては、左綴じのポートレートモード印刷物の左側への開きと上綴じのポートレートモード印刷物の上側への開きのいずれも可能になっている。
【００７２】
また、例えばＮｏ．４の混合印刷物に対するステープル留めは、図９に示すようになり、ｃ領域（縦長用紙の左下領域）にステープルが１個留められる。このステープル処理によりＮｏ．４の混合印刷物に対しては、左綴じのポートレートモード印刷物の左側への開きと左綴じのランドスケープモード印刷物の左側への開きのいずれも可能になっている。
【００７３】
また、例えば１部目を表１のＮｏ．４の左綴じ（横置き用紙によるランドスケープモード印刷物の左綴じ）として２部目を横置き用紙の他の印刷物との組み合わせた場合の混合印刷物のステープル位置制御データは、下記表４のようになる。
【００７４】
【表４】
2005297213.tif 000006
【００７５】
表４において、例えばＮｏ．２の混合印刷物に対するステープル留めは、図１０に示すようになり、ａ領域（横長用紙の左上領域）にステープルが１個留められる。このステープル処理によりＮｏ．２の混合印刷物に対しては、左綴じのランドスケープモード印刷物の左側への開きと上綴じのランドスケープモード印刷物の上側への開きのいずれも可能になっている。
【００７６】
また、例えば１部目を表１のＮｏ．１の下綴じ（縦置き用紙によるポートレートモード印刷物の下綴じ）とし、２部目を表１のＮｏ．２の右綴じ（縦置き用紙によるランドスケープモード印刷物の下綴じ）とした場合は、ステープル位置制御データは、（００１１）・（１１００）・（１０１０）＝（００００）となり、図１１に示すように、ステープル留めは行われない。
【００７７】
制御部１０６は、ステープル位置制御データを生成すると、そのステープル位置制御データを後処理部１１０に送出し、全ページの画像形成が終了すると、ステープル位置制御データに基づいて、その印刷物に対してステープル留めの処理を行わせた後、排紙部１１１により排紙トレイ１３に排出させる。
【００７８】
次に、本実施形態に係る画像形成装置１の画像形成動作について、図１２に示すフローチャートに従って説明する。なお、ここでは、コンピュータＰＣから送信されるプリント指令に従って混合印刷物の画像形成動作を行う場合について説明する。
【００７９】
画像形成装置１は、通信部１０１によりコンピュータＰＣからプリント指令のデータ（画像データ、プリントデータ、ステープルデータ等）を受信すると（Ｓ１：ＹＥＳ）、解析部１０２によりそのデータの内容の解析を行う（Ｓ２）。続いて、制御部１０６は、解析された混合印刷物に含まれる各印刷物のステープルデータと記憶部１０３に記憶されたステープル制限データとの論理積を演算してステープル位置制御データを生成し、そのステープル位置制御データを後処理部１１０に設定する（Ｓ３）。
【００８０】
また、制御部１０６は、解析部１０２による解析結果に基づいて、画像形成のページ数をカウントするカウント値ｎを１に設定した後（Ｓ４）、プリント指令とともに送信された画像データを描画部１０７によりＶＲＡＭに展開させる（Ｓ５：画像データの展開）。
【００８１】
プリントデータの解析結果が、例えばＡ４サイズの用紙に対して図２（ａ）のプリント動作である場合、描画部１０７は、用紙の上下と画像の天地とが一致するように画像データをＡ４サイズに調整してＶＲＡＭに展開させ、Ａ４サイズの用紙に対して図３（ａ）のプリント動作である場合、描画部１０７は、用紙の右左と画像の天地とが一致するように画像データをＡ４サイズに調整してＶＲＡＭに展開させる。また、プリントデータの解析結果が、例えばＢ５サイズの用紙に対して図２（ｃ）のプリント動作である場合、描画部１０７は、用紙の左右と画像の天地とが一致するように画像データをＢ５サイズに調整するとともに、反時計回りに９０°回転してＶＲＡＭに展開させ、Ｂ５サイズの用紙に対して図３（ｂ）のプリント動作である場合、描画部１０７は、用紙の左右と画像の天地とが一致するように画像データをＢ５サイズに調整するとともに、反時計回りに１８０°回転してＶＲＡＭに展開させる。
【００８２】
続いて、制御部１０６は、ＶＲＡＭに展開した画像データをラスタ走査方向にライン単位で順次、プリント部１０９に出力させるとともに、解析結果に基づき給紙部１０８により所定の給紙トレイから用紙の給送を行わせて１ページ目の画像形成を行わせる（Ｓ６：画像形成）。プリント部１０９により１ページ目の画像形成が終了すると、その用紙は後処理部１１０に搬送され、一時保持される。
【００８３】
続いて、１ページ目の画像形成が終了すると、制御部１０６は、カウント値ｎを１だけ増加させた後（Ｓ７）、そのカウント値ｎが全ページ数Ｎを超えているか否かを判別し（Ｓ８）、カウント値ｎが全ページ数Ｎ以下であれば（Ｓ８：ＮＯ）、ステップＳ５に戻り、ステップＳ５〜Ｓ８を実行して次のページの画像データについて用紙への画像形成動作を行わせる。
【００８４】
そして、各ページの画像について用紙への画像形成動作を行い（Ｓ５〜Ｓ８のループ）、カウント値ｎが全ページ数Ｎを超えると（Ｓ８：ＹＥＳ）、制御部１０６は、後処理部１１０により混合印刷物にステープル留めの処理を行わせる（Ｓ９）。後処理部１１０は、制御部１０６によって設定されたステープル位置制御データに基づき混合印刷物の所定の位置にステープル留めを行う。
【００８５】
例えば混合印刷物が、表３のＮｏ．２の場合（１部目はポートレートモード印刷物の左綴じで２部目はポートレートモード印刷物の上綴じの場合）、各ページは、給紙部１０８とプリント部１０９により縦置き用紙を搬送させて当該縦置き用紙の上下と画像の天地とを一致させるように画像が形成されて後処理部１１０に一時保存されている。後処理部１１０には、制御部１０６より（１０００）のテーブル位置制御データが設定されているので、混合印刷物のａ領域（ポートレートモード印刷物の左上の位置）に１個だけステープルが留められる（図８参照）。
【００８６】
また、例えば混合印刷物が、表４のＮｏ．２の場合（１部目はランドスケープモード印刷物の左綴じで２部目はランドスケープモード印刷物の上綴じの場合）、各ページは、給紙部１０８とプリント部１０９により横置き用紙を搬送させて当該横置き用紙の右左と画像の天地とを一致させるように画像が形成されて後処理部１１０に一時保存されている。後処理部１１０には、制御部１０６より（１０００）のテーブル位置制御データが設定されているので、混合印刷物のａ領域（ランドスケープモード印刷物の左上の位置）に１個だけステープルが留められる（図１０参照）。
【００８７】
一方、例えば混合印刷物が、１部目を表１のＮｏ．１の下綴じ（縦置き用紙によるポートレートモード印刷物の下綴じ）とし、２部目を表１のＮｏ．２の右綴じ（縦置き用紙によるランドスケープモード印刷物の下綴じ）とする場合、１部目は給紙部１０８とプリント部１０９により縦置き用紙を搬送させて当該縦置き用紙の上下と画像の天地とを一致さるように画像が形成される一方、２部目は縦置き用紙を搬送させて当該縦置き用紙の左右と画像の天地とを一致させるように画像が形成されて後処理部１１０に一時保存されている。後処理部１１０には、制御部１０６より（００００）のテーブル位置制御データが設定されているので、混合印刷物にはステープルは留められない（図１１参照）。
【００８８】
そして、混合印刷物へのステープル留めの処理が終了すると、排紙部１１１によりその混合印刷物は排紙トレイ１３に排出されて（Ｓ１０）、プリント処理は終了する。
【００８９】
上記のように、本実施形態に係る画像形成装置１は、印刷物毎に設定されているステープルデータと記憶部１０３に予め記憶しているステープル制限データとから印刷物に実際にステープル留めを行うためのステープル位置制御データを生成し、このステープル位置制御データに基づいて、作成した印刷物のステープル留めを行うので、印刷物が混合印刷物の場合は、各印刷物に設定されたステープル位置のうち、重複する位置にのみステープルが留められるため、混合印刷物に含まれる複数の印刷物をそれぞれ指定された方向に開くことができる。
【００９０】
なお、上記実施形態では、縦長／横長の印刷物の種類又はステープルによる綴じ方が異なる２種類の印刷物を含む混合印刷物について説明したが、混合印刷物に含まれる印刷物の種類は３種類以上であってもよい。
【００９１】
また、上記実施形態では、乾式電子写真方式のステープル機能付きプリント装置について説明したが、本発明は、ステープル機能付きプリント装置を備えた複写機やファクシミリ装置などの複合機に適用することができるとともに、乾式電子写真方式とは異なる方式のステープル機能付き画像形成装置、例えば印刷装置、インクジェットプリンタ、熱転写型プリンタなどの画像形成装置にも適用することができる。
【００９２】
また、上記実施形態では、外部接続されたコンピュータＰＣからプリントデータやステープルデータが入力される場合について説明したが、ページプリンタ装置１Ａの操作パネル１２Ｂからこれらのデータが入力される場合でも同様の後処理を行わせることができる。
【図面の簡単な説明】
【００９３】
【図１】本発明に係る画像形成装置の一実施形態の概観図である。
【図２】横方向に搬送される用紙の画像形成処理を示す図である。
【図３】縦方向に搬送される用紙の画像形成処理を示す図である。
【図４】ステープルによる綴じ代を示す図で、（ａ）はポートレートモード印刷物における綴じ代を示す図、（ｂ）はランドスケープモード印刷物における綴じ代を示す図である。
【図５】本発明に係るプリント装置の画像形成処理に関する機能を示すブロック図である。
【図６】ステープルデータの構成を説明するための図で、（ａ）は縦置き用紙に画像を形成する場合のステープルデータを説明するための図、（ｂ）は横縦置き用紙に画像を形成する場合のステープルデータを説明するための図である。
【図７】表１のＮｏ．１〜４の各綴じ方のステープルデータと印刷物におけるステープル位置との関係を示す図である。
【図８】縦置き用紙による左綴じのポートレートモード印刷物と上綴じのポートレートモード印刷物の混合印刷物に対するステープルの留め方を示す図である。
【図９】縦置き用紙による左綴じのポートレートモード印刷物と左綴じのランドスケープモード印刷物の混合印刷物に対するステープルの留め方を示す図である。
【図１０】横置き用紙による左綴じのランドスケープモード印刷物と上綴じのランドスケープモード印刷物の混合印刷物に対するステープルの留め方を示す図である。
【図１１】縦置き用紙による下綴じのポートレートモード印刷物と右綴じのランドスケープモード印刷物の混合印刷物に対するステープルの留め方を示す図である。
【図１２】画像形成装置の画像形成動作を示すフローチャートである。
【図１３】２個のステープル留めの位置を示すもので、（ａ）はポートレートモード印刷物を左綴じする場合のステープル留めの位置を示す図、（ｂ）はランドスケープモード印刷物を左綴じする場合のステープル留めの位置を示す図、（ｃ）は混合印刷物にポートレートモード印刷物に対するステープル条件でステープル留めをした場合のステープル位置を示す図、（ｄ）は混合印刷物にランドスケープモード印刷物に対するステープル条件でステープル留めをした場合のステープル位置を示す図である。
【符号の説明】
【００９４】
１  画像形成装置
１Ａ  ページプリンタ装置（印刷物作成手段）
１Ｂ  フィニッシャ装置（後処理手段）
１１  給紙部
１１ａ〜１１ｄ  給紙トレイ
１１ｅ  手差しトレイ
１２  画像形成部
１２Ａ  排紙トレイ
１２Ｂ  操作パネル（入力手段）
１３  排紙トレイ
１０１  通信部（入力手段，通信手段）
１０２  解析部
１０３  記憶部（記憶手段）
１０４  操作部
１０５  表示部
１０６  制御部（印刷物作成制御手段，領域情報生成手段，後処理制御手段）
１０７  描画部
１０８  給紙部
１０９  プリント部
１１０  後処理部
１１１  排紙部
【図１】
2005297213.tif 000007
【図２】
2005297213.tif 000008
【図３】
2005297213.tif 000009
【図４】
2005297213.tif 000010
【図５】
2005297213.tif 000011
【図６】
2005297213.tif 000012
【図７】
2005297213.tif 000013
【図８】
2005297213.tif 000014
【図９】
2005297213.tif 000015
【図１０】
2005297213.tif 000016
【図１１】
2005297213.tif 000017
【図１２】
2005297213.tif 000018
【図１３】
2005297213.tif 000019